(57)【要約】【課題】洗浄性能の向上および洗濯時間の削減したドラム式洗濯機を提供すること。【解決手段】洗濯物を収容する回転ドラム３と、回転ドラム３を収容する水受け槽２と、水受け槽２内に給水する給水弁１１と、水受け槽２内の水位を検知する水位検知手段１２と、水受け槽２内の洗い水、すすぎ水を回転ドラム３内に吐出させる循環ポンプ１０と、水受け槽２内の洗い水を加熱するヒータ２２と、給水弁１１、循環ポンプ１０およびヒータ２２等を制御し、洗い工程を行う制御手段１４とを備え、制御手段１４は、洗い工程の開始時点において、給水弁１１を制御して回転ドラム３の最下端よりも低いがヒータ２２は水没している水位まで給水した後、ヒータ２２を動作させて洗い水を加熱し、ヒータ２２の停止後、循環ポンプ１０を作動させる。【選択図】図１
2014050501.tif 000002
【特許請求の範囲】
【請求項１】
洗濯物を収容する回転ドラムと、
前記回転ドラムを収容する水受け槽と、
前記水受け槽内に給水する給水手段と、
前記水受け槽内の水位を検知する水位検知手段と、
前記水受け槽内の洗い水を前記回転ドラム内に吐出させる水循環手段と、
前記水受け槽内の下部に設けられ洗い水を加熱する加熱手段と、
前記給水手段、前記水循環手段および前記加熱手段を制御し、洗い工程を行う制御手段とを備え、
前記制御手段は、前記給水手段を制御して前記回転ドラムの最下端よりも低いが前記加熱手段が水没する水位まで給水した後、前記加熱手段を動作させて洗い水を加熱し、前記加熱手段の停止後、前記水循環手段を作動させることを特徴とする洗濯機。
【請求項２】
前記回転ドラムを駆動させる駆動手段をさらに備え、
前記制御手段は、前記加熱手段を停止させた後の、前記水循環手段の作動開始以降に、前記駆動手段により前記回転ドラムを駆動させる請求項１記載の洗濯機。
【請求項３】
前記制御手段は、前記水位検知手段により水位が低下したことを検知すると、前記給水手段を制御して給水を行い、少なくとも最後の給水回での給水目標水位は、前記回転ドラムの最下端よりも低く、前記加熱手段の上端よりも高い水位であることを特徴とする請求項１または２に記載の洗濯機。
【請求項４】
前記制御手段は、前記加熱手段の動作が、前記給水手段による給水が行われていないときに行われるようにする請求項１〜３のいずれか１項に記載の洗濯機。
【発明の詳細な説明】
【技術分野】
【０００１】
本発明は、回転ドラム内に洗濯物を投入し、温水によって洗い、すすぎなどの各工程を逐次制御して洗濯するドラム式洗濯機に関する。
【背景技術】
【０００２】
従来、ドラム式洗濯機は、洗い時の洗浄力やすすぎの性能、さらには節水性を高めるため、水槽の底部に集められた洗濯水を回転ドラム内に循環させる経路が設けられている。これにより、洗濯水と衣類との接触を増やしたり、循環水の噴射力により汚れを分離したり、少ない水量でも洗濯物を濡らすことができる。
【０００３】
さらに、外槽底部に加熱手段が設けられて、洗濯水を加熱して洗浄性能を向上することによっても洗浄力やすすぎ性能の向上が図られている。しかし、使用する水量の少ない洗濯機、特にドラム式洗濯機では、洗濯水の循環を行うと、外槽底部の洗濯水の液面が低下し、加熱手段の表面が洗濯水面より出てしまう可能性がある。この状態で加熱手段を通電し続けると加熱手段表面が過加熱状態となり、外槽を構成する樹脂材料を溶解し、さらには、加熱手段自体が断線してしまうことが起こる可能性があった。
【０００４】
このことを防止するため、通常は加熱手段の近傍に温度検知手段や外槽底部の洗濯水面高さを検知する水位検知手段が設けられている。この構成により、加熱手段の温度が異常に高くなり、洗濯水面が低すぎるような場合は、加熱手段に通電しないといった対策が取られている（例えば、特許文献１参照）。
【先行技術文献】
【特許文献】
【０００５】
【特許文献１】特開２００７−１１７１３５号公報
【発明の概要】
【発明が解決しようとする課題】
【０００６】
しかし、このような従来の構成では、安全性のために洗濯水の水位を通常より高く設定し、水位が下がるたびに加熱手段の通電を止めることとなり、そのため、洗濯水の温度を連続的に早く上げることができず、洗浄に時間がかり洗浄性能向上が難しくなるという課題があった。
【０００７】
本発明は、前記従来の課題を解決すると共に、洗浄性能の向上および洗濯時間の削減したドラム式洗濯機を提供することを目的とする。
【課題を解決するための手段】
【０００８】
前記従来の課題を解決するために、本発明のドラム式洗濯機は、洗濯物を収容する回転ドラムと、前記回転ドラムを収容する水受け槽と、前記水受け槽内に給水する給水手段と、前記水受け槽内の水位を検知する水位検知手段と、前記水受け槽内の洗い水を前記回転ドラム内に吐出させる水循環手段と、前記水受け槽内の下部に設けられ洗い水を加熱する加熱手段と、前記給水手段、前記水循環手段および前記加熱手段を制御し、洗い工程を行う制御手段とを備え、前記制御手段は、前記給水手段を制御して前記回転ドラムの最下端よりも低いが前記加熱手段が水没する水位まで給水した後、前記加熱手段を動作させて洗い水を加熱し、前記加熱手段の停止後、前記水循環手段を作動させるものである。
【０００９】
これにより、水循環手段は加熱手段の動作完了後に初めて作動するため、水循環手段の駆動による水位低下によって加熱手段の表面が洗濯水の面より上に出ても問題はない。
【００１０】
また、給水の水位は回転ドラムの最下端よりも低いが加熱手段は水没している水位まで給水しているため、水循環手段を駆動しなければ回転ドラムに収納した洗濯物に、ほとんど洗濯水がかからない。このため、洗濯物の吸水量は、水循環手段を駆動した場合に比べて非常に少なくなる。これにより、水受け槽内に存在する水量が少なくなるため、洗濯水の熱容量が減ることとなり、洗濯水の水温はその量が少ない分だけ高くなりやすくなる。このため、加熱手段の通電量は同じでも、早くに加熱を完了することができる。
【００１１】
また、水循環手段を動作させながら加熱する場合にくらべて、水受け槽内の水量を減らすことができるので、同じ洗剤量を投入しても洗剤濃度が濃くなり、洗浄性能を向上させることができる。
【００１２】
また、洗濯水の中の洗剤は、温度の上昇によって溶解性が向上すると共に、洗剤としての活性が高くなる。
【００１３】
以上により、水循環手段を動作させた段階では、吸水量が少ない洗濯物に、通常よりも温度が高く、洗剤の活性が高く、洗剤濃度が高い洗濯水がかかるため洗濯物の汚れに対する洗浄能力は飛躍的に向上することになる。
【発明の効果】
【００１４】
本発明のドラム式洗濯機は、洗い工程における洗浄性能の向上、洗い時間の低減、使用エネルギーの削減を図ることができる。
【図面の簡単な説明】
【００１５】
【図１】本発明の実施の形態１におけるドラム式洗濯機の断面図
【図２】本発明の実施の形態１におけるドラム式洗濯機のブロック回路図
【図３】本発明の実施の形態１におけるドラム式洗濯機の洗い工程の動作を示すタイムチャート
【図４】本発明の実施の形態２におけるドラム式洗濯機の洗い工程の動作を示すタイムチャート
【発明を実施するための形態】
【００１６】
第１の発明の洗濯機は、洗濯物を収容する回転ドラムと、前記回転ドラムを収容する水受け槽と、前記水受け槽内に給水する給水手段と、前記水受け槽内の水位を検知する水位検知手段と、前記水受け槽内の洗い水を前記回転ドラム内に吐出させる水循環手段と、前記水受け槽内の下部に設けられ洗い水を加熱する加熱手段と、前記給水手段、前記水循環手段および前記加熱手段を制御し、洗い工程を行う制御手段とを備え、前記制御手段は、前記給水手段を制御して前記回転ドラムの最下端よりも低いが前記加熱手段が水没する水位まで給水した後、前記加熱手段を動作させて洗い水を加熱し、前記加熱手段の停止後、前記水循環手段を作動させるものである。
【００１７】
これにより、水循環手段は加熱手段の動作完了後に初めて作動するため、水循環手段の駆動による水位低下によって加熱手段の表面が洗濯水の面より上に出ても問題はない。
【００１８】
また、給水の水位は回転ドラムの最下端よりも低いが加熱手段は水没している水位まで給水しているため、水循環手段を駆動しなければ回転ドラムに収納した洗濯物に、ほとんど洗濯水がかからない。このため、洗濯物の吸水量は、水循環手段を駆動した場合に比べて非常に少なくなる。これにより、水受け槽内に存在する水量が少なくなるため、洗濯水の熱容量が減ることとなり、洗濯水の水温はその量が少ない分だけ高くなりやすくなる。このため、加熱手段の通電量は同じでも、早くに加熱を完了することができる。
【００１９】
また、水循環手段を動作させながら加熱する場合にくらべて、水受け槽内の水量を減らすことができるので、同じ洗剤量を投入しても洗剤濃度が濃くなり、洗浄性能を向上させることができる。
【００２０】
また、洗濯水の中の洗剤は、温度の上昇によって溶解性が向上すると共に、洗剤としての活性が高くなる。
【００２１】
以上により、水循環手段を動作させた段階では、吸水量が少ない洗濯物に、通常よりも温度が高く、洗剤の活性が高く、洗剤濃度が高い洗濯水がかかるため洗濯物の汚れに対する洗浄能力は飛躍的に向上することになる。
【００２２】
第２の発明は、第１の発明の洗濯機の前記回転ドラムを駆動させる駆動手段をさらに備え、前記制御手段は、前記加熱手段を停止させた後の、前記水循環手段の作動開始以降に、前記駆動手段により前記回転ドラムを駆動させるものである。
【００２３】
これにより、第１の発明の効果に加え、加熱手段の停止後の水循環手段の作動開始まで、回転ドラムの回転による洗濯物の積極的な吸水を防止することができる。洗濯物の吸水を抑えることができるので、水を早くに加温することができ、洗濯時間を短縮することができる。さらに、洗剤濃度の高い洗濯水を用いることができるので、洗浄性能を向上させることができる。また、不要に回転ドラムを回転させることがないので、省エネルギー性の高い洗濯運転を行うことができる。
【００２４】
第３の発明は、第１または第２の発明の制御手段は、前記水位検知手段により水位が低下したことを検知すると、前記給水手段を制御して給水を行い、少なくとも最後の給水回での給水目標水位は、前記回転ドラムの最下端よりも低く、前記加熱手段の上端よりも高い水位であるものである。
【００２５】
ドラム式洗濯機への総給水量は、洗濯物が保持する水量と水受け槽内に溜まっている水量の和になる。一般的なドラム式洗濯機における給水量は洗濯物が保持する水量と回転ドラムの最下端よりも高い水位まで給水される水量の和である。よって、この状態で洗濯水を加熱手段により加熱するためには、洗濯物自体および洗濯物が保持している水も加熱する必要があるため、水受け槽内の水を加熱する時間が長くなる。しかし、本発明において、少なくとも最後の給水回での給水目標水位を回転ドラムの下端よりも低い水位までとすることにより、洗濯物および洗濯物が保持している水を加熱する必要がなくなり、水受け槽内に溜まっている洗濯水の温度を早くに高くすることができる。このため、洗浄性能を大幅にアップさせることができる。また、水受け槽に洗濯水が少なくなる分だけ、回転ドラムを回転させるためのエネルギーは小さくなるため、洗い工程の間における回転ドラムの回転のための消費電力量を低減できる。
【００２６】
第４の発明は、第１〜第３のいずれか１つの発明の洗濯機の前記制御手段は、前記加熱手段の動作が、前記給水手段による給水が行われていないときに行われるようにするものである。
【００２７】
これにより、水受け槽内の洗濯水の温度をより高い温度まで早くに上昇させることができ洗浄性能を促進することができると共に、水循環手段を駆動させた時に加熱手段が水面より上に出ることを防止することができる。
【００２８】
以下、本発明の実施の形態について、図面を参照しながら説明する。なお、この実施の形態によって本発明が限定されるものではない。また、本発明で使用する洗濯水とは、洗い工程において用いられる、洗剤成分を含む水としての洗浄水と、すすぎ工程において用いられる、洗剤成分や汚れをすすぐ水としてのすすぎ水との、両方を包括するものである。また、循環シャワーとは、水循環手段の駆動により、循環経路から吐出される洗濯水を意味する。
【００２９】
（実施の形態１）
図１は、本発明の実施の形態１におけるドラム式洗濯機の断面図、図２は、本発明の実施の形態１におけるドラム式洗濯機のブロック回路図、図３は、本発明の実施の形態１におけるドラム式洗濯機の洗い工程の動作を示すタイムチャートである。
【００３０】
図１〜図３において、ドラム式洗濯機１の内部に水受け槽２が配設されている。水受け槽２の内側に洗濯槽としての回転ドラム３が水平な回転軸によって回転可能な状態で配設されている。回転ドラム３は、背面に接続されたモータ４により回転する。また、回転ドラム３は外周面に複数の通孔２３が設けられ、またその内壁面には数個の突起板２４が設けられている。回転ドラム３は、洗濯槽、脱水槽、乾燥槽としても機能するものである。
【００３１】
水受け槽２の後部側の最低部には、取水口５が接続されている。取水口５は、排水弁６によって開閉される排水管７につながっている。取水口５と排水弁６の間からは取水口５から取り込んだ洗濯水を回転ドラム３に吐出する吐出口８につながった循環経路９が連通している。循環ポンプ１０の駆動により、水受け槽２の洗濯水は循環経路９を通り、回転ドラム３に循環シャワーとして吐出される。このように、回転ドラム３内の洗濯物に循環水をかけることができる。水受け槽２の上方には、給水弁１１が設けられており、給水弁１１は水受け槽２内に水を給水する。水位検知手段１２は水受け槽２内の水位を検知するものである。
【００３２】
制御装置１３は、マイクロコンピュータで構成された制御手段１４を有し、パワースイッチング手段１５を介してモータ４、排水弁６、循環ポンプ１０、給水弁１１などの動作を制御し、洗い、すすぎ、脱水などの一連の工程を逐次制御する。入力設定手段１６は、運転コース等を設定するもので、制御手段１４は入力設定手段１６からの情報を入力して、その情報を基に表示手段１７を表示して使用者に知らせる。記憶手段１８は、制御手段１４により制御するのに必要なデータを記憶している。制御手段１４は、回転ドラム３の回転数を検知する回転数検知手段２１の情報から、パワースイッチング手段１５を介して回転ドラム３の回転数を制御する。水受け槽２の底部には、洗濯水を加熱するヒータ２２（加熱手段）が配置されており、モータ４等と同様に制御手段１４により制御される。
【００３３】
使用者がドラム式洗濯機１に洗濯物を投入し、電源スイッチ２０を押すと、入力設定手段１６が洗濯のコース等を入力できる様になる。入力設定手段１６からの情報により、制御手段１４は、表示手段１７を表示して使用者に知らせる。使用者が洗濯のスタートボタンを押して洗濯を開始すると、洗い工程の洗濯物重量検知工程を開始する。
【００３４】
洗濯物重量検知工程は、モータ４を制御して洗濯物とともに回転ドラム３を回転させる時のモータ４の電流信号の大きさを検出することによって行う。また、制御手段１４は、洗濯物量の判定結果により、洗剤量を決定し、表示手段１７を表示して使用者に知らせ、使用者が洗剤を投入する時間を考慮して、所定時間（例えば１分）経過した後に、制御手段１４は給水の準備に入る。
【００３５】
次に、制御手段１４は、給水弁１１を開放して、回転ドラム３の最下端よりも低いがヒータ２２は水没している水位Ａまでの給水を開始する。この時、給水された水は、洗剤ケース（図示せず）を通り、洗剤ケースに投入された洗剤と一緒に水受け槽２に溜められていく。この時、回転ドラム３は停止している。制御手段１４は、水位検知手段１２により回転ドラム３の最下点より低く、ヒータ２２は水没している所定水位Ａに到達したと判断すると、給水弁１１を閉じることにより、水受け槽２への給水を停止する。この時、回転ドラム３に収納されている洗濯物は、ほとんど洗濯水を吸水しない。
【００３６】
給水停止とほぼ同じタイミングで、制御手段１４はヒータ２２への通電を開始する。この時、制御手段１４は、ヒータ２２への通電中であるため、水受け槽２に給水を行わない。また、ヒータ２２への通電の間、回転ドラム３と循環ポンプ１０は停止状態にあり、水受け槽２に溜まり洗剤が溶解されている洗濯水の温度は徐々に高くなり、それに伴い洗剤も更に洗濯水に溶解していく。制御手段１４は、ヒータ２２の動作が、給水弁１１による給水が行われていないときに行われるようにすることより、水受け槽２内の洗濯水の温度をより高い温度まで早くに上昇させることができる。ヒータ２２による洗濯水の加熱は水受け槽２内に溜まる洗濯水だけで済み、洗濯物および洗濯物が保持する水に熱量が奪われないため、早くに高い温度まで洗濯水を加熱することができる。
【００３７】
ヒータ２２の通電開始から所定時間が経過し、通電が終了すると、制御手段１４は循環シャワーを作動させると共に回転ドラム３の回転を開始させる、撹拌洗い工程を開始する。具体的には、制御手段１４はパワースイッチング手段１５を介して、循環ポンプ１０を制御して、加熱された洗濯水を循環経路９に通して吐出口８より回転ドラム３内へ循環させることで循環シャワーが作動し、これにより洗濯水の洗濯物への浸透を促進させる。また、回転ドラム３の回転によっても、回転ドラム３内に浸入する洗濯水と洗濯物は接触するため、これによっても洗濯水は洗濯物へ浸透されることになる。この時の、循環ポンプ１０の回転数は、回転ドラム３内に循環水がしっかり吐出して洗濯物に洗濯水が浸透しやすくできる回転数とし、その循環ポンプ１０の運転は、循環ポンプ１０にエアがみが発生しない様にＯＮ／ＯＦＦの間欠運転、またはインバータにより回転数を制御する運転とする。回転ドラム３内の洗濯物は回転ドラム３内に設けた突起板２４に引っかかり、持ち上げられて落下することによりたたき洗いが行われる。このたたき洗いでは、洗濯物に落下時の運動エネルギーが効果的に加えられるように洗濯物は回転ドラム３の壁面に遠心力によって張り付かない程度の回転速度が好ましく、洗濯物の量にも依存するが５０ｒ／ｍｉｎ程度が好ましい。回転ドラム３の回転方向は、同一方向でも、定期的に切り替えることとしてもよい。
【００３８】
循環シャワーにより水受け槽２に溜まっている洗濯水が洗濯物にかけられ、回転ドラム３が回転することが開始されると、洗濯物はほとんど洗濯水と接触していないため、洗濯物は洗剤が良く溶けた暖かい洗濯水を吸水し、洗剤は洗濯物の汚れに対し非常に効率よく反応することになる。この時、洗濯物は洗剤が良く溶けた暖かい洗濯水を循環シャワー等により吸水しその濡れ性を確保する。洗濯物が加熱される前の洗濯水をほとんど吸水していないために、洗濯物の温度は上昇しやすくなる。加熱前の洗濯水を吸水していると、加熱された洗濯水が循環シャワーにより洗濯物にかけられたとしても、洗濯水に対しての入れ替わりが行われ難く、洗濯物が保持する加熱前の冷たい洗濯水に熱量が奪われ、洗濯物は温度が上がりにくい。すなわち、洗濯物の汚れ近傍の洗濯水は低温となり、加熱した洗濯水が効果を発揮しにくい。本発明においては、ほとんど乾布状態である洗濯物に対して加温された洗濯水を供給することができるので、吸水された洗濯水中の洗剤は洗濯物の汚れに対し効率よく作用することができる。また、循環ポンプ１０を動作させながら加熱する場合に比べて、水受け槽２内の水量を減らすことができるので、同じ洗剤量を投入しても洗剤濃度が濃くなり、洗浄性能を向上させることができる。
【００３９】
このとき、循環ポンプ１０が動作していることと、洗濯物が吸水することにより、水受け槽２の水位は低下していく。水位検知手段１２により、水位の低下を検知すると、制御手段１４は、給水弁１１を開放して、再度、水受け槽２に給水を行う。このときの目標水位は、回転ドラム３の下端以上で、かつヒータ２２が水没する水位Ｂまで行う。この時、水位検知手段１２による水位のチェックを行うために、循環シャワーを停止する。これは、循環シャワーが作動していると循環シャワーの経路に洗濯水が導入され、水位が低下するためである。
【００４０】
洗濯物は循環シャワーや回転ドラム３の回転により、吸水が促進され、その保持水量は多くなる。洗濯物の保持水量が飽和するまで、水受け槽２に溜まっている洗濯水を吸水するため洗濯水は減少していく。水位検知手段１２が再度、水位の低下を検知すると、３回目の給水を行う。本発明においては、これが最終の給水となる。この時、制御手段１４は給水弁１１を開放して、水位が所定水位Ｂになるまで水受け槽２へ給水を行う。この給水完了時において、洗濯物が十分洗濯水を吸水している場合、洗濯物はこれ以上吸水しないため、吸水による水位の変化は起こらない。
【００４１】
ヒータ２２の通電が終了してから所定時間Ｔ１が経過すると、制御手段１４はＯＮ−ＯＦＦ運転を行っている循環ポンプ１０を作動させないようにコントロールを行い、洗い工程の完了まで循環シャワーは作動しないようにする。洗い工程の最初では洗濯物をできるだけ早く洗濯水で濡らし、洗剤を汚れと早く反応させることが好ましい。しかし、洗濯水が少ない状況では、洗濯物の吸水による水位低下と循環ポンプ１０の作動による水位低下が起こる。水位が下がりすぎると、循環ポンプ１０に空気が入り込むエアがみが起こることがある。このような場合には、洗濯物と洗濯水が効率的に接触することが困難となる。このため、温度・洗剤の活性・洗剤濃度が高い洗濯水と洗濯物との接触機会は低減され洗浄効果が低減する。そこで、本発明においては、ヒータ２２停止後、所定時間Ｔ１が経過後には、循環ポンプ１０を作動させないようにすることにより、水位は低下することはなく、回転ドラム３の回転により洗濯物と洗濯水との接触を行うことができる。温度・洗剤の活性・洗剤濃度が高い洗濯水と常に接触できるため、洗浄性能は向上すると共に循環ポンプ１０の消費電力量を削減できる。
【００４２】
洗い工程が終了すると、制御手段１４は排水弁６を開き、排水管７を通して水受け槽２内の洗濯水の排水を開始する。その後、洗いの工程は、すすぎ工程、脱水工程と移って行き、脱水工程が終了した時点で、洗濯は終了し、制御手段１４はドラム式洗濯機１の電源を切る。
【００４３】
以上のように、洗い工程においては、洗い工程の開始時点で、制御手段１４は循環シャワーを作動させず、給水弁１１を制御して通常の所定水位まで給水させた後に、ヒータ２２に所定時間通電を行い、ヒータ２２への通電完了後に初めて循環シャワーを作動させている。水循環手段は加熱手段の動作完了後に初めて作動するため、循環ポンプ１０の駆動による水位低下によってヒータ２２の表面が洗濯水の面より上に出てしまう恐れがない。また、回転ドラム３に収納した洗濯物に、ほとんど洗濯水がかからないため、洗濯物の吸水量は、非常に少なくなる。これにより、水受け槽２内に存在する水量が少なくなるため、洗濯水の熱容量が減ることとなり、洗濯水の水温はその量が少ない分だけ高くなりやすくなる。このため、ヒータ２２の通電量は同じでも、早くに加熱を完了することができる。また、循環ポンプ１０を動作させながら加熱する場合に比べて、水受け槽２内の水量を減らすことができるので、同じ洗剤量を投入しても洗剤濃度が濃くなり、洗浄性能を向上させることができる。また、洗濯水の中の洗剤は、温度の上昇によって溶解性が向上すると共に、洗剤としての活性が高くなる。以上により、循環ポンプ１０を動作させた段階では、ほとんど吸水していない洗濯物に、通常よりも温度が高く、洗剤の活性が高く、洗剤濃度が高い洗濯水がかかるため洗濯物の汚れに対する洗浄能力は飛躍的に向上させることができる。また、回転ドラム３を回転させるモータ４についても、給水量が少なくなることにより回転ドラム３の回転のための消費電力量が少なくなるため、洗濯で使用される消費電力量を低減することができる。
【００４４】
また、制御手段１４は、洗い工程におけるヒータ２２の通電停止後の循環シャワーの作動開始以降に、回転ドラム３を作動させることにより、回転ドラム３の回転による積極的な洗濯物の吸水を防止し、循環シャワーが作動したときに温度が高く洗剤の活性が高くなっている洗濯水を、ほぼ乾布として存在する洗濯物が吸水できる。さらに、洗い工程における回転ドラム３の運転時間が短くなるためでの消費電力量を削減できる。
【００４５】
また、ヒータ２２への通電は、水受け槽２に給水が行われていないときに行われるようにすることにより、ヒータ２２により水受け槽２内の洗濯水の温度をより高い温度まで早くに上昇させることができると共にヒータ２２が水面より上に出ることを防止することができる。よって、洗浄性能をより促進することができる。また、洗濯物の吸水量は少なくなるため、ヒータ２２への通電停止後、循環シャワーにより洗濯物に加熱された洗濯水がかけられた場合、洗濯物は低温の洗濯水を吸水することなく加熱された洗濯水を吸水することができ、洗浄性能を向上することができる。
【００４６】
なお、本実施の形態において、水受け槽２および回転ドラム３は水平に配置されたものとしたが、ヒータ２２が洗濯水に水没できるような構成であれば、水受け槽２および回転ドラム３は傾斜していてもよい。
【００４７】
さらに、洗い工程において実施するものとしたが、すすぎ工程において同様の動作をしてもよい。
【００４８】
（実施の形態２）
図４は、本発明の実施の形態２におけるドラム式洗濯機の洗い工程の動作を示すタイムチャートである。本実施の形態において、制御手段は、洗い工程において、少なくとも最後の給水回での給水目標水位は、回転ドラム３の下端よりも低く、ヒータ２２の上端よりも高い水位であるように制御している。その他の構成は実施の形態１の構成を援用する。以下、実施の形態１と異なる制御を説明する。
【００４９】
撹拌洗い工程において、回転ドラム３は駆動しており、洗濯物への吸水を促進するとともに、たたき洗いを行っている。制御手段１４は、水位検知手段１２により洗濯物の吸水および循環ポンプ１０の駆動による水位の低下を検知すると、給水弁１１を開放して、水受け槽２へ２回目の給水を開始する。この時、水位検知手段１２による水位のチェックを行うために、循環シャワーおよび回転ドラム３の駆動を停止する。これは、循環シャワーが作動していると循環シャワーの経路に洗濯水が導入されと水位が低下するためである。洗濯物は循環シャワー等の効果により吸水が促進され、その保持洗濯水量は多くなるが、洗濯物の保持洗濯量が十分でないと水受け槽２に溜まっている洗濯水を吸水するため洗濯水は減少していく。
【００５０】
水位検知手段１２が再度、水位の低下を検知すると、制御手段１４は３回目の給水を行うために給水弁１１を開放して、水受け槽２へ給水を開始する。このときの最終目標水位Ｃは、ヒータ２２の上端は水没しているが、回転ドラム３の最下端より低い水位である。
【００５１】
一般的なドラム式洗濯機の給水量は洗濯物が保持する水量と回転ドラム３の最下端よりも高い水位まで給水される水量の和である。よって、この状態で洗濯水をヒータ２２により加熱するためには、洗濯物自体および洗濯物が保持している水も加熱する必要があるため、水受け槽２内の水を加熱する時間が長くなる。しかし、本実施の形態において、少なくとも最後の給水回での最終目標水位Ｃを回転ドラム３の下端よりも低い水位までとすることにより、洗濯物および洗濯物が保持している水を加熱する必要がなくなる。加熱するのは水受け槽２内に溜まっている洗濯水のみでよい。水受け槽２やわずかに接触している可能性のある回転ドラム３から、洗濯物および洗濯物が保持している洗濯水に対して熱量が奪われることがあるかもしれないが、水位が回転ドラム３より上にある場合よりも、奪われる熱量はわずかとなる。よって、洗濯水の温度を早くに高くすることができる。このため、洗浄性能を大幅にアップさせることができる。
【００５２】
また、水受け槽２に洗濯水が少なくなる分だけ、回転ドラム３を回転させるためのエネルギーは小さくなるため、洗い工程の間におれる回転ドラム３の回転のための消費電力量を低減できる。
【００５３】
水位が最終目標水位Ｃまで到達すると、制御手段１４は給水弁１１を閉じ、給水を停止する。その後、ヒータ２２に通電を行い、洗濯水を加熱する。所定時間経過後、循環ポンプ１０および回転ドラム３の駆動を再び開始し、撹拌洗いを行う。
【００５４】
以上のように、最終給水回における水位をヒータ２２の上端より上で、回転ドラム３の下端より下にすることにより、ヒータから洗濯水に効率よく熱を伝えることができる。このため、給水を複数回行う場合にも洗浄性能を低下させることなく維持することができる。
【産業上の利用可能性】
【００５５】
以上のように、本発明にかかるドラム式洗濯機は、制御手段は洗い工程の開始時点において、洗い工程の開始時点において、循環シャワーは作動させず、給水手段を制御して回転ドラムの最下端よりも低いがヒータは水没している水位まで給水させた後に、ヒータに所定時間通電を行い、ヒータへの通電完了後に循環シャワーを作動させることにより、循環シャワーはヒータ通電完了後に初めて作動するため、ヒータの表面が洗濯水の面より出てしまうことはない。また、洗濯物に洗剤濃度が高く、また温度が高い洗濯水をかけて洗うこと、及び洗濯水の温度が高い時間を長くすることにより洗浄力を向上させたり、洗濯時間を削減したり、洗濯での省エネを図ることを目的とする。
【符号の説明】
【００５６】
１  ドラム式洗濯機
２  水受け槽
３  回転ドラム
４  モータ（駆動手段）
５  取水口
６  排水弁
７  排水管
８  吐出口
９  循環経路
１０  循環ポンプ（水循環手段）
１１  給水弁（給水手段）
１２  水位検知手段
１４  制御手段
２３  通孔
【図１】
2014050501.tif 000003
【図２】
2014050501.tif 000004
【図３】
2014050501.tif 000005
【図４】
2014050501.tif 000006